(57)【要約】【課題】  表示灯を備えた接触式変位測定ヘッドを小型化する。【解決手段】  接触子３、ベアリング３８，接触子３と連動するコア１３及びその回りに配置された差動トランス１２を内蔵した接触式変位測定ヘッド１は、その上端部分に、半透明の合成樹脂ケース１５に内蔵された２つのＬＥＤ６ａ、６ｂを有する。ＬＥＤ６ａ、６ｂは、支持基板３０に取付られ、基板３０によって合成樹脂ケース１５は２つの空間３２、３３に仕切られて、配線３１の群を収容した空間３３には接着性シール用樹脂材料３５が充填される。ＬＥＤ６ａ、６ｂの駆動は、ヘッド１を制御するコントローラ４２によって行われる。【選択図】  図１２
2005201863.tif 000002
【特許請求の範囲】
【請求項１】
対象物に当接して変位可能な接触子と、該接触子の変位に対応した出力を行う差動トランスとを含む接触式変位測定ヘッドと、該接触式変位測定ヘッドを制御するコントローラとを有する接触式変位測定器において、
前記接触式変位測定ヘッドの外側ケースの中に挿入することにより配設された支持基板に取り付けられた表示灯と、
前記コントローラに設けられ、前記接触式変位測定ヘッドの表示灯の駆動を制御する表示灯駆動制御手段とを有し、
前記表示灯の光が、前記接触式変位測定ヘッドの外側ケースを通じて外部から視認可能であることを特徴とする接触式変位測定器。
【請求項２】
前記表示灯がＬＥＤからなる、請求項１に記載の接触式変位測定器。
【請求項３】
前記ＬＥＤが複数である、請求項２に記載の接触式変位測定器。
【請求項４】
前記複数のＬＥＤが互いに離間して配設されている、請求項３に記載の接触式変位測定器。
【請求項５】
前記接触式変位測定ヘッドの外側ケースの上端部分が内部空間が前記支持基板によって仕切られ、該支持基板の一方の板面に前記ＬＥＤが取り付けられ、他方の板面が対面する空間に配線が収容されている、請求項２〜４のいずれか一項に記載の接触式変位測定器。
【請求項６】
前記支持基板が前記外側ケースの内部空間の中心からオフセットして配置することにより、前記ＬＥＤが前記外側ケースの内面に近接して配置されている、請求項５に記載の接触式変位測定器。
【請求項７】
前記支持基板の他方の板面が対面し且つ前記配線が収容される空間に接着性シール材料が充填されている、請求項５又は６に記載の接触式変位測定器。
【請求項８】
前記外側ケースの前記ＬＥＤが臨む部分が、外から内部構造を見ることのできないが前記ＬＥＤの光を外から視認することのできる性状を有する、請求項５〜７のいずれか一項に記載の接触式変位測定器。
【請求項９】
対象物に当接して上下に変位可能な接触子の変位に対応した出力を行う差動トランスを内蔵した接触式変位測定ヘッドと、該接触式変位測定ヘッドを制御するコントローラとを有する接触式変位測定器において、
前記接触式変位測定ヘッドは、
該接触式変位測定ヘッドの下端から上端にわたって実質的に同一径のアウターケースと、
該アウターケースの下部に内蔵された、前記接触子を摺動可能に案内するベアリングと、
前記アウターケースの中間部分に内蔵され、前記接触子の軸部の上端に連結されたコア及び該コアの回りに設けられた差動トランスのコイルと、
該差動トランスのコイルと前記コアとの間に配設され、前記接触子を下方に付勢するバネと、
前記アウターケースの上端部分に内蔵された支持基板に設けられたＬＥＤとを有し、
前記ＬＥＤの駆動が、前記コントローラに内蔵されたＬＥＤ駆動制御手段により制御されることを特徴とする接触式変位測定器。
【発明の詳細な説明】
【技術分野】
【０００１】
本発明は接触式変位測定器に関する。
【背景技術】
【０００２】
接触式変位測定器は、原理的には、物理的変位を電気量に変換するものであり、機械的な構成として、軸方向に変位可能な接触子に連動する差動トランスのコアを有し、このコアが接触子の変位に対応して変位することにより、接触子の変位に対応した大きさの信号が差動トランスから出力されることを利用している。このため、接触式変位測定器は、軸方向に変位可能な接触子に連動する差動トランスのコアを組み込んだ変位測定ヘッドと、この変位測定ヘッドを制御して、変位測定ヘッドからの信号を受け取って検波するコントローラとの組み合わせで構成されることが多い。
【０００３】
このような接触式変位測定器は、変位測定ヘッドの構成を必要最小限に抑えることができるため、変位測定ヘッドの大きさ（特に直径）を小さくすることができ、変位測定ヘッドの設置位置の自由度を確保することができるというメリットがある。対象物の物理量を検出するのに様々な非接触式の測定器も開発されているが、非接触式の測定器は作業環境に敏感であることから、比較的劣悪な作業環境で接触式変位測定器が用いられることが多い。
【０００４】
特許文献１は、接触式変位測定ヘッドに表示灯を搭載することを提案している。すなわち、特許文献１の接触式変位測定ヘッドは、これを設置位置に固定するときに、接触子のゼロ点を表示するための表示灯をヘッド本体の上端部分の外表面に固設すると共に、この表示灯を点灯制御するための機構として、変位測定ヘッドの上端部に、接触子と一体に上下動作するピンと、このピンによって遮光される投受光素子とを設ける構成が採用されている。
【０００５】
提案の接触式変位測定ヘッドによれば、接触子がゼロ点に位置されると、この接触子のゼロ点位置に対応してピンが投受光素子を遮光することにより表示灯が点灯され、これにより、変位測定ヘッドの設置作業を行っているユーザは変位測定ヘッドに付設された表示灯の点灯を見ることで変位測定ヘッドの設置位置が好ましいか否かを知ることができる。
【特許文献１】特開平６−７４７０５号公報
【発明の開示】
【発明が解決しようとする課題】
【０００６】
特許文献１が提案する接触式変位測定ヘッドによれば、変位測定ヘッドに付設した表示灯を見ながら変位測定ヘッドの設置作業を進めることができるため利便性に優れているという利点があるものの、これを点灯制御するための機構が変位測定ヘッドに内蔵されているため、この制御手段によって変位測定ヘッドが必然的に大きくなるという欠点があり、また、この制御手段によって接触式変位測定ヘッドの内部構造が複雑になるだけでなく、表示灯の役割は画一的なものであり、表示灯で何を表示させるかの自由度が無いという欠点がある。
【０００７】
本発明の目的は、表示灯を備えた接触式変位測定ヘッドを小型化することのできる接触式変位測定器を提供することにある。
【０００８】
本発明の他の目的は、表示灯を備えた接触式変位測定ヘッドの外形の直径を最小限に抑えつつ外形の出っ張りを無くすることのできる接触式変位測定器を提供することにある。
【０００９】
本発明の更なる目的は、表示灯を備えた接触式変位測定ヘッドの表示灯の視認性を確保しつつ接触式変位測定ヘッドの外形を面一にすることのできる接触式変位測定器を提供することにある。
【課題を解決するための手段】
【００１０】
接触式変位測定ヘッドの最も基本的な構成は、移動可能な接触子と、この接触子の動きに連動するコアの変位に応じて出力を行う差動トランスを含む。そして、この基本構成を備えた接触式変位測定ヘッドからは、接触子の位置を規定できる信号をコントローラに出力して、コントローラで種々の解析を行う。本件発明者は、接触式変位測定ヘッドの出力信号に着目し、この出力信号を得たコントローラで様々な解析を行うことのできるのであれば、コントローラに表示灯の制御手段を設ければ、接触式変位測定ヘッドは単に表示灯だけを設ければ足りると考えて本発明を案出するに至ったものである。
【００１１】
上記の技術的課題は、本発明によれば、
対象物に当接して変位可能な接触子と、該接触子の変位に対応した出力を行う差動トランスとを含む接触式変位測定ヘッドと、該接触式変位測定ヘッドを制御するコントローラとを有する接触式変位測定器において、
前記接触式変位測定ヘッドの外側ケースの中に挿入することにより配設された支持基板に取り付けられた表示灯と、
前記コントローラに設けられ、前記接触式変位測定ヘッドの表示灯の駆動を制御する表示灯駆動制御手段とを有し、
前記表示灯の光が、前記接触式変位測定ヘッドの外側ケースを通じて外部から視認可能であることを特徴とする接触式変位測定器を提供することにより達成される。
【００１２】
すなわち、本発明によれば、接触式変位測定ヘッドの表示灯の駆動制御手段をコントローラ側に設けたことにより、接触式変位測定ヘッド側に表示灯の制御手段を設ける必要が無くなり、その分、接触式変位測定ヘッドの小型化が可能になるが、単に、このメリットだけでなく、接触式変位測定ヘッドからの出力信号をコントローラ側で解析することにより接触式変位測定ヘッドの様々な状態や接触式変位測定ヘッド及びコントローラの状態など様々な情報を表示灯を使ってユーザに伝えることが可能になり、どのような情報をユーザに伝えるかの自由度を高めることができる。
【００１３】
また、本発明によれば、外側ケースの中に挿入した支持基板に表示灯を取り付けたことから、表示灯が接触式変位測定ヘッドから突出した存在になることはない。
【００１４】
本発明の好ましい実施の形態によれば、表示灯をＬＥＤで構成するのがよい。ＬＥＤは消費電力が少なく且つ耐久性に優れていることが知られている。ＬＥＤが複数の場合、これらが色の異なるＬＥＤのときには、両者を点灯したときの混色を避けるために、ＬＥＤを互いに離間して配設するのがよい。
【００１５】
本発明の最も好ましい態様では、接触式変位測定ヘッドの外側ケースの内部空間がＬＥＤ持基板によって仕切られ、ＬＥＤ支持基板の一方の板面にＬＥＤが取り付けられ、他方の板面が対面する空間に配線が収容される。これによれば、配線によってＬＥＤの光を遮光して視認性を害するのを防止することができる。また、配線が収容される空間を接着性シール材料で充填するのが耐水性を高める上で好ましい。
【発明を実施するための最良の形態】
【００１６】
以下に図面を参照して好ましい実施例の接触式変位測定器を詳しく説明する。図１は実施例の接触式変位測定器に含まれるヘッドの側面図である。図１に図示の接触式変位測定ヘッド１は、円筒状の本体２の下端に上下動可能な接触子３を有し、接触子３と本体２との間はゴム製の蛇腹４で包囲されている。円筒状本体２の上端には、本体２と実質的に同一径の表示部５を有し、この表示部５の内部には２つのＬＥＤ６ａ、６ｂが配設されている。表示部５の上端にはゴム製のシールキャップ７が嵌装され、このシールキャップ７からケーブル８が延出する構成を有する。
【００１７】
接触式変位測定ヘッド１は、本体２、表示部５、シールキャップ７が実質的に同一径であり、全体として円筒状且つ外表面に段差の無い面一のペンシル形状を有し、その下端に接触子３が上下動可能に設けられ、上端のシールキャップ７から延出するケーブル８を通じて、「アンプ」と称されるコントローラ４２（図１３）に接続して使用される。
【００１８】
図２、図３を参照して、本体２は、細長い円筒状の金属製アウターケース１０と、その内部に配設された合成樹脂製コイルホルダ１１（図３）とを含み、コイルホルダ１１にコイルを巻回することにより差動トランスが構成される。コイルホルダ１１は軸心に沿って延びる中心孔１１ａ（図３）を有する。
【００１９】
接触子３は、この接触子３から軸線に沿って上方に延びるコア１３と一体に作られており、コア１３は、コイルホルダ１１の軸心に沿って延びる中心孔１１ａの中に挿入した状態で配置される。
【００２０】
表示部５は、図４に示す略円筒状の合成樹脂成型品１５を含む。合成樹脂成型品１５は、概略、貫通孔１５ａを備えた円筒状の形状を有し、その軸線方向中央に大径部分１６を有し、大径部分１６が表示部５を構成すると共に、本体２の金属製アウターケース１０と実質的に面一であり、これにより接触式変位測定ヘッド１の外側ケースの一部を構成する。合成樹脂成型品１５は、また、大径部分１６を挟んで上下に位置する上方、下方の小径部分１７、１８を有し、下方の小径部分１８の下端からは略半円状のガイドリップ１９が延出している。
【００２１】
図５は、合成樹脂成形品１５の縦断面図である。図４と図５を参照して、合成樹脂成型品１５の貫通孔１５ａに関し、上方小径部分１７と大径部分１６の上半分は断面円形の孔形状であり、上方小径部分１７の上半分１７ａは上方に向けて拡開するテーパ形状を有する。
【００２２】
大径部分１６の下半分及び下方小径部分１８は、形状を制限するものではないが、円形貫通孔１５ａの基礎円弧２０の一部に、同心の大径の円弧２１を合体した形状を有し、基礎円弧２０と大径円弧２１との合流部分に一対の段部２２、２２が形成されている（図６、図７）。段部２２、２２を結ぶ仮想ラインは、好ましくは、基礎円弧２０の中心よりもオフセットした位置に配置して、段部２２、２２を結ぶ仮想ラインが大径円弧２１に接近しているのがよい。
【００２３】
図９は、２つのＬＥＤ６ａ、６ｂを支持する基板３０を示す。基板３０は、矩形の形状を有し、この基板３０の上端部分に２つのＬＥＤ６ａ、６ｂが横並びに互いに離置して配置されている。
【００２４】
接触式変位測定ヘッドの組立作業の際には、図１０に示すように、ＬＥＤ支持基板３０は、配線３１を合成樹脂成型品１５の中に挿入した状態で、合成樹脂成型品１５の下方から内部に挿入されるが、ＬＥＤ支持基板３０は、その両側縁の各々が段部２２と係合した状態で挿入され、ＬＥＤ支持基板３０をセットした後には、大径部分１６の下半分及び下方小径部分１８の内部空間が２つの部屋に仕切られる（図１１）。
【００２５】
図１１は、ＬＥＤ支持基板３０を挿入した後の合成樹脂成型品１５を下方から見た図である。合成樹脂成型品１５は、ＬＥＤ支持基板３０によって内部空間が２つに仕切られていることが分かるであろう。すなわち、大径円弧２１で規定される比較的小さな第１の内部空間３２と、小径円弧２０で規定される比較的大きな内部空間３３とがＬＥＤ支持基板３０によって仕切られており、そして、第１内部空間３２にはＬＥＤ６が配設され、第２内部空間３３にはコイルやＬＥＤ６に関連した配線３１の群が収容され、ついで、この第２内部空間３３には接着性シール用樹脂材料３５が充填される。
【００２６】
接着正シール材料３５の充填作業は、図１０に図示のようにケーブル８を挿入した状態のシールキャップ７を上下逆さまにして、シールキャップ７の嵌合口を上にした状態で半流動性の接着性シール材料３５をシールキャップ７の中に充填し、ついで、シールキャップ７を合成樹脂成形体１５に嵌合させることにより行われる。接着性シール材料３５は硬化した後も透明であるのが好ましい。
【００２７】
合成樹脂成型品１５は、ＬＥＤ６の発光を外部から視認できるように、少なくとも、ＬＥＤ６の窓を実質的に構成する大径部分１６が透明又は半透明であるのがよい。ただし、透明であると、外部から大径部分１６の内部構造が見えてしまうので、大径部分１６は、ＬＥＤ６の光を通すものの外部から大径部分１６の内部構造が見えない程度の半透明であるのが好ましい。ちなみに、実施例では、合成樹脂成形品１５はスモーク色に着色してあり、また、表示部５のＬＥＤ表示用窓を実質的に構成する構成する大径部分１６の外表面にシボ加工を施してある。
【００２８】
図１２は、接触式変位測定ヘッド１を断面して内部構造を説明するための図である。同図において、参照符号３６は、接触式変位測定ヘッド１の下端部分に位置して接触子３を支持する下部アウターケースである。下部アウターケース３６は、本体アウターケース１０と実質的に同一径であり、本体アウターケース１０の下端部に嵌着される。
【００２９】
下部アウターケース３６内には、中心貫通孔を有するガイドリング３７が固設され、このガイドリング３７の中心貫通孔の中に接触子３の軸部３ａを上下動可能に挿入され、また、ガイドリング３７の下方に領域にベアリング３８が配設される。
【００３０】
接触子３の軸部３ａは、中空ロッド３９の下端の拡大ヘッド３９ａを介して互いに連結され、中空ロッド３９の上端部分にコア１３が収容されている。拡大ヘッド３９ａは接触子３と共に上下に移動する。
【００３１】
中空ロッド３９の外周にはバネ４０が設けられ、このバネ４０によって拡大ヘッド３９ａが付勢されることにより、接触子３は下方（突出する方向）に付勢されている。図１２の矢印で示す範囲が可動領域である。
【００３２】
接触式変位測定ヘッド１は、図１３に図示のように、コントローラ４２とケーブル８を通じて接続される。コントローラ４２は、従来と同様に、発振回路４３、検波回路４４、変位演算手段４５を含んでおり、接触式変位測定ヘッド１の差動トランス１２の一方の接続端子にsin波を供給し、他方の接続端子に逆位相のsin波を供給すると共に、接触子３の変位（コアの変位）に伴って変化する差動トランス１２の出力信号を受け取って、この出力信号を検波して変位量を求める。
【００３３】
コントローラ４２は、更に、ＬＥＤ６を駆動するための駆動回路４６、差動トランスの出力を解析して接触子３の位置（コアの位置）を判別する位置判別回路４７を含み、接触式変位測定ヘッド１から受け取った信号を加工して様々な判別を行うことができ、この判別に基づいてＬＥＤ駆動回路４４を動作させることができる。
【００３４】
例えば、上記位置判別回路４７に予め所定の値を設定しておき、この設定値と上記変位演算手段４５で得た変位量とに基づいてＬＥＤ６を駆動を制御する表示制御信号をＬＥＤ６に出力するようにしてもよい。このような表示制御手段をコントローラ４２に設けることにより、接触式変位測定ヘッド１にはＬＥＤ６だけを設けるだけで、このＬＥＤ６で所望の表示を行うことができる。
【００３５】
また、上記表示制御手段により次に説明する状態をＬＥＤ６を使ってユーザに視認させることができる。
【００３６】
変位測定のゼロ点の設定は、従来と同様に、コントローラ４２側で任意に設定可能であるが、図１４に示すように、接触測定ヘッド１の出力（差動トランスの出力）と接触子３との変位がリニアの関係に在る範囲を超えると、この両者の関係にズレを生じてしまい、正確な変位量を測定することができなくなる。
【００３７】
例えば、図示の接触式変位測定ヘッド１では、接触子３（コア）の中立位置からプラスマイナス0.5mmの範囲であれば、これを変位測定のゼロ点に設定しても支障は無く、また、接触式変位測定ヘッド（差動トランス）の出力と接触子３の変位とがリニアな関係にある範囲は、接触子３（コア）の中立位置からプラスマイナス５mmである。
【００３８】
接触式変位測定ヘッド１に設けた２つのＬＥＤ６ａ、６ｂを使って次の状態をユーザに視認させることができる。このＬＥＤ６を使った状態確認は、接触式変位測定ヘッド１を作業位置にセットするときにユーザにとって特に効用がある。
【００３９】
(1)ゼロ点の設定が許容できる範囲（ニュートラル範囲）に接触子３が位置している状態
(2)接触子３の変位が接触式変位測定ヘッドの出力とリニアな範囲（使用可能範囲）に存在している状態
(3)接触子３の変位が接触式変位測定ヘッドの出力とリニアな範囲から逸脱した範囲に存在している状態
【００４０】
上記(1)の状態つまり接触子３のニュートラル範囲や上記(2)の使用可能範囲は、例えば、接触子３の中央値に相当する固定値１を位置判別回路４７に予め設定し、また、使用可能範囲を規定する固定値２を位置判別回路４７に予め設定しておけばよい。これらの固定値１、２は、典型的にはコントローラ４２のメモリに記憶させておくのがよい。接触式変位測定ヘッド１の個体差により上記固定値１、２にバラツキがある場合には、個々のヘッド１毎に補正した固定値１、２をメモリに記憶させてもよい。
【００４１】
ＬＥＤ６を使って、コントローラ４２の表示ゼロ点を表示することも可能である。この場合、ユーザが設定するゼロ点によって設定値が変動することになるが、表示ゼロ点に相当する変位量を演算して、この変位量に基づいて表示ゼロ点をＬＥＤ６で表示させればよい。
【００４２】
例えば２つのＬＥＤ６ａ、６ｂのうち、一方のＬＥＤ６ａを赤色発光のＬＥＤで構成し、他方のＬＥＤ６ｂを緑色発光のＬＥＤで構成した場合、ワークと接した接触子３の上下位置がニュートラル範囲に入っているときには（上記(1)の場合）、例えば２つのＬＥＤ６ａ、６ｂを共に点灯すれば、これを見たユーザは、接触式変位測定ヘッド１のセット位置で良いと判断して、接触式変位測定ヘッド１をこの位置で固定することができる。
【００４３】
また、上記(2)の接触子３の変位が接触式変位測定ヘッド１の出力とリニアな範囲（使用可能範囲）に存在している状態は、例えば、緑色ＬＥＤ６ｂだけを点灯することで表示し、(3)接触子３の変位が接触式変位測定ヘッド１の出力とリニアな範囲から逸脱した範囲に存在している状態は、例えば赤色ＬＥＤ６ａだけを点灯することで表示することができる。
【００４４】
実施例では、異なる色の２つのＬＥＤ６ａ、６ｂを配置したが、例えば１つのＬＥＤの点灯と点滅とを使って異なる状態をユーザに視認させるようにしてもよいし、多色発光のＬＥＤを使って異なる状態をユーザに視認させるようにしてもよい。
【００４５】
接触式変位測定ヘッド１に設けた発光体（ＬＥＤ６）を使って、下記に例示するように様々な情報をユーザに視認させることができる。
【００４６】
(a)コントローラ４２にモニタを付設して計測値を表示する、又は、コントローラ４２にモニタを接続して計測値を表示するようになっているが、(1)コントローラ４２が計測可能な範囲の表示、(2)コントローラ４２の計測範囲を分割した数段階の各段階を接触式変位測定ヘッド１に設けた発光体（ＬＥＤ６）を使って表示することができる。
【００４７】
(b)ユーザが任意に設定した位置を接触式変位測定ヘッド１に設けた発光体（ＬＥＤ６）を使って表示することができる。例えば、ユーザがマスターワークで設定した計測位置つまりマスターワークを測定してこのときの位置をゼロ点として記憶させた時に、(1)このゼロ点位置の表示、(2)コントローラ４２の判定出力に対応した範囲（ワークの誤差の許容範囲）に入っているか否かの表示接触式変位測定ヘッド１に設けた発光体（ＬＥＤ６）を使って表示することができる。
【００４８】
(c)接触式変位測定ヘッド１とコントローラ４２の状態を接触式変位測定ヘッド１に設けた発光体（ＬＥＤ６）を使って表示することができる。例えば(1)接触式変位測定ヘッド１とコントローラ４２の通電状態、(2)接触式変位測定ヘッド１内の計測配線が断線しているか否か、(3)コントローラ４２の計測値がコントローラ４２の電源を投入した時のドリフトをしている場合などを、表示接触式変位測定ヘッド１に設けた発光体（ＬＥＤ６）を使って表示することができる。
【００４９】
接触式変位測定ヘッド１の表示部５の内部に設けた発光体、好ましい実施例ではＬＥＤ６の数は任意であり、表示したい状態の数に応じて決定すればよい。また、複数の発光体６を設ける場合、配置位置は任意であり、実施例のように、接触式変位測定ヘッド１の軸線を横断する方向に横並びに配置してもよいし、接触式変位測定ヘッド１の軸線方向に沿って縦並びに配置してもよい。
【００５０】
例えば、２つの状態（ＯＫ、ＮＧ）を表示するのであれば、１つのＬＥＤ６の点灯、消灯又は点滅で視認させることができる。
【００５１】
色の異なるＬＥＤを離間して配置することで、下記の表のように４つの状態をユーザに視認させることができる。
【００５２】
緑色ＬＥＤ    赤色ＬＥＤ
状態１    消灯          消灯    
状態２    点灯          消灯    
状態３    消灯          点灯    
状態４    点灯          点灯    
【００５３】
また、表示したい状態の数に対応した数のＬＥＤを配置してもよい。下記の２つの表は４つの状態を３つのＬＥＤで表示することを示している。
【００５４】
ＬＥＤ１  ＬＥＤ２  ＬＥＤ３
状態１    消灯      消灯      消灯  
状態２    点灯      消灯      消灯  
状態３    消灯      点灯      消灯  
状態４    消灯      消灯      点灯  
【００５５】
ＬＥＤ１  ＬＥＤ２  ＬＥＤ３
状態１    消灯      消灯      消灯  
状態２    点灯      消灯      消灯  
状態３    点灯      点灯      消灯  
状態４    点灯      点灯      点灯  
【００５６】
色の異なるＬＥＤの混色を使って状態表示するようにしてもよい。
緑色ＬＥＤ    赤色ＬＥＤ
状態１      消灯          消灯    
状態２      点灯          消灯    
状態３      消灯          点灯    
状態４      点灯          点灯    
【００５７】
状態表示に点滅を使う場合、例えば早い点滅周期で状態１を表示し、遅い点滅周期で状態２を表示するようにしてもよい。また、点灯時の輝度を変えることで、異なる状態を表示するようにしてもよい。
【００５８】
以上、本発明の好ましい実施例として、接触式変位測定ヘッド１に発光体（ＬＥＤ６）を設けた例を説明したが、例えばコントローラ４２に発光体を内蔵し、コントローラ４２と接触式変位測定ヘッド１とを光ファイバで連結して、コントローラ４２内の発光体が点灯したときに光ファイバで導光して、接触式変位測定ヘッド１の表示部５で光らせるようにしてもよい。この場合の具体的な構成として、支持基板３０に透孔を設け、この透孔に光ファイバの先端部を挿入するようにしてもよい。
【００５９】
上述した接触式変位測定ヘッド１は下端部から上端部（表示部５）に至るまで実質的に同一径の面一の細長い円筒状の形状を有することから、換言すればＬＥＤ６や表示部５が径方向外方に突出した存在になっていないため、この接触式変位測定ヘッド１は、当業者であれば容易に理解できるように、接触式変位測定ヘッド１の設置作業などで有利である。
【００６０】
また、接触式変位測定ヘッド１の基本的な構成部品（接触子や差動トランス）を収容するに過不足ない直径を維持しつつ、軸線方向に若干延長して表示部５を設け、この表示部５の内部にＬＥＤ６を設ける構成とし、表示部５を透明又は半透明になっていることから、接触式変位測定ヘッド１の側方からであっても、ＬＥＤ６の発光を確認することができ、ＬＥＤ６の発色の視認性にも優れている。
【００６１】
ＬＥＤ６の配置に関し、合成樹脂成形品１５の大径部分１６（表示部５）内に、支持基板３０を大径部分１６の中心からオフセットした位置に配置させて、ＬＥＤ６を大径部分１６の内壁面に近づけて配置してあることから、ＬＥＤ６の光を減衰することなく大径部分１６から光を放出することができる。
【００６２】
表示部５の内側にＬＥＤ６を配置したにもかかわらず、ＬＥＤ表示用窓を実質的に構成する構成する大径部分１６の内側に隣接してＬＥＤ６を配置したことから、表示部５の周方向の一定の範囲つまり大径部分１６の範囲内であればＬＥＤ６の光を外部から視認することができるため、実用上の充分な視認性を確保することができる。
【００６３】
また、支持基板３０で合成樹脂成形品１５の内部を２つの空間３２、３３（図１１）に分け、比較的大きな空間３３に配線３１の群を通過させるようにしてあるため、配線３１の群の一部がＬＥＤ設置空間３２に侵入するのを支持基板３０によって防止することができる。
【００６４】
また、配線３１の群を収容する空間３３に接着性シール材料３５を充填するようにしたが、この接着性シール材料３５がＬＥＤ設置空間３２に侵入するのを支持基板３０によって極力防止することができる。
【００６５】
また、合成樹脂成形品１５の上方小径部分１７（ケーブル８が延出するシールキャップ７が嵌装される部分）の内部貫通孔にテーパ１７ａ（図４、図５）を設けたことから、逆さにして接着性シール材料３５を充填したシールキャップ７を上下反転させて合成樹脂成型品１５の上方小径部分１７に装着すると、この接着性シール材料３５が合成樹脂成型品１５の中に流下することになるが、テーパ部分１７ａが下方に向けて先細りの形状になっていることから、このテーパ部分１７ａに接着性シール材料３５が高密度に充填されることになり、これによりケーブル８の固定及びケーブル８の引っ張り強度を高めることができ、また、シールキャップ７による防水性を確実なものにすることができる。
【図面の簡単な説明】
【００６６】
【図１】実施例の接触式変位測定器に含まれる変位測定ヘッドの側面図である。
【図２】図１の接触式変位測定ヘッドの分解図である。
【図３】図１の接触式変位測定ヘッドに内蔵されるコイルホルダ及び表示部を構成する合成樹脂成型品とを示す斜視図である。
【図４】表示部を構成する合成樹脂成型品の側面図である。
【図５】図４の合成樹脂成型品の縦断面図である。
【図６】図４のVI−VIに沿った断面図である。
【図７】図４のVII−VIIに沿った断面図である。
【図８】図４のVIII−VIIIに沿った断面図である。
【図９】接触式変位測定ヘッドに内蔵される２つのＬＥＤを支持する基板を示す図である。
【図１０】表示部を構成する合成樹脂成型品に図９のＬＥＤ支持基板を組み込むときの状態を示す図である。
【図１１】ＬＥＤ支持基板を組み込んだ後の合成樹脂成型品の底面図である。
【図１２】接触式変位測定ヘッドを断面して内部構造を示す説明図である。
【図１３】ケーブルを通じて接続された接触式変位測定ヘッドとコントローラを示す図である。
【図１４】２つのＬＥＤで表示する項目を補足説明するための図である。
【符号の説明】
【００６７】
１      接触式変位測定ヘッド
２      ヘッド本体
３      接触子
５      表示部
６      ＬＥＤ
８      ケーブル
１０      金属製アウターケース
１３      コア
１５      合成樹脂成型品
１６      合成樹脂成型品の大径部分（表示部）
３０      ＬＥＤ支持基板
３２      ＬＥＤ設置空間
３３      配線収容空間
３５      接着性シール材料
３８      ベアリング
４０      バネ
４２      コントローラ
４４      ＬＥＤ駆動回路
【図１】
2005201863.tif 000003
【図２】
2005201863.tif 000004
【図３】
2005201863.tif 000005
【図４】
2005201863.tif 000006
【図５】
2005201863.tif 000007
【図６】
2005201863.tif 000008
【図７】
2005201863.tif 000009
【図８】
2005201863.tif 000010
【図９】
2005201863.tif 000011
【図１０】
2005201863.tif 000012
【図１１】
2005201863.tif 000013
【図１２】
2005201863.tif 000014
【図１３】
2005201863.tif 000015
【図１４】
2005201863.tif 000016